(57)【特許請求の範囲】
【請求項１】
用紙搬送機構と、用紙の折り曲げ位置にナイフを突き出す折りナイフ機構と、上記折りナイフ機構により折られた用紙を一対の折りローラにより挟圧する折りローラ機構と、折られた用紙を立整列させるスタッカとを備えてなる立整列スタッカ付きナイフ折り機において、
一つの基台に上記用紙搬送機構、折りナイフ機構、折りローラ機構及びスタッカが固定され、この基台が回転可能であることを特徴とする立整列スタッカ付きナイフ折り機。
【請求項２】
請求項１に記載された立整列スタッカ付きナイフ折り機において、上記スタッカに折られた用紙の整列用壁が設けられていることを特徴とする立整列スタッカ付きナイフ折り機。
【発明の詳細な説明】
【技術分野】
【０００１】
本発明は、一対の折りローラとナイフを用いて用紙を折るナイフ折り機に関し、特に、折った用紙（折丁）を立整列させる立整列スタッカが付いたナイフ折り機に関する。
【背景技術】
【０００２】
通常、ナイフ折り機では、水平方向に搬送されてきた用紙を鉛直方向に動作するナイフによって折りを形成し、折られた用紙は鉛直方向に搬送される。このナイフ折り機に折られた用紙を立整列させる整列台、すなわち、スタッカを組み込むことがある（例えば、特許文献１参照）。
【先行技術文献】
【特許文献】
【０００３】
【特許文献１】実公平３−２４５３０号公報
【発明の概要】
【発明が解決しようとする課題】
【０００４】
上記のようにスタッカをナイフ折り機に組み込む場合、折丁の横幅（ナイフ折りされる前の搬送方向長さ）と縦長さ（ナイフ折りされる前の搬送方向に直交する方向の長さ）の比によってはスタックが困難となる。例えば、薬や文房具の説明書等のように、横幅が縦長さに対して著しく短い場合には、折丁が倒れやすく、立整列が困難となる。
【０００５】
このため、上記特許文献１に記載されているように、立整列させる折丁の両側にストッパを設けることが考えられる。しかしながら、立整列させる折丁の両側にストッパを設けると、折丁を取り出すことが困難になる、という問題が生じる。
【０００６】
また、横幅が縦長さに対して短い場合には、通常と異なり、鉛直方向に搬送されてきた用紙を水平方向に動作するナイフによって折り、折丁を水平方向に搬送するスタック方式も用いられているが、この方法では横幅が縦長さに対して長い場合には、スタックが困難になることがあるほか、ナイフ折り機構が機械の奥深くに位置せざるを得ず、結果、機械の操作や調整が困難になる、という問題が生じる。
【０００７】
本発明は、上記の問題に鑑みてなされたもので、立整列させる折丁の両側にストッパを設けることなく、折丁の縦横比の制限を受けずに、折丁を立整列させることができる立整列スタッカ付きナイフ折り機を提供することを目的とする。
【課題を解決するための手段】
【０００８】
請求項１に係る発明の立整列スタッカ付きナイフ折り機は、用紙搬送機構と、用紙の折り曲げ位置にナイフを突き出す折りナイフ機構と、上記折りナイフ機構により折られた用紙を一対の折りローラにより挟圧する折りローラ機構と、折られた用紙を立整列させるスタッカとを備えてなる立整列スタッカ付きナイフ折り機において、一つの基台に上記用紙搬送機構、折りナイフ機構、折りローラ機構及びスタッカが固定され、この基台が回転可能であることを特徴とする。
【０００９】
また、請求項２に係る発明の立整列スタッカ付きナイフ折り機は、請求項１に係る発明の立整列スタッカ付きナイフ折り機において、上記スタッカに折られた用紙の整列用壁が設けられていることを特徴とする。
【発明の効果】
【００１０】
請求項１、２に係る発明の立整列スタッカ付きナイフ折り機によれば、基台を回転させることにより、スタッカを水平または３０〜９０°傾けた姿勢の両方で使用することができるので、折丁の横幅が縦長さに対して十分である場合には、水平の状態で使用し、横幅が縦長さに対して著しく短い場合には、３０〜９０°傾けて使用することにより、折丁が整列用壁によって支持されるので、折丁の縦横比が如何なる場合であっても立整列が可能となり、整列した折丁の取り出しも容易に行うことができる。
また、基台を回転させることにより、スタッカとともに、用紙搬送機構、折りナイフ機構、あるいは折りローラ機構等のナイフ折り部の全体が回転するので、折丁のスタッカへの搬送機構等を調整することなく、スタッカを回転させることが可能となる。
【図面の簡単な説明】
【００１１】
【図１】本発明の立整列スタッカ付きナイフ折り機の概略構成を示す図である。
【図２】図１の立整列スタッカ付きナイフ折り機の基台が回転した状態を示す図である。
【実施例】
【００１２】
以下、本発明に係る立整列スタッカ付きナイフ折り機の実施例について図により説明する。
図１は、立整列スタッカ付きナイフ折り機を示す概略の斜視図であり、１は用紙、２はナイフ、３ａ、３ｂは一対の折りローラ、４ａ、４ｂは用紙１を搬送する搬送ベルト、５は基台、６ａ、６ｂは基台５に固定されたベルト支持軸、７は折丁の整列台、すなわちスタッカである。ナイフ２、一対の折りローラ３ａ、３ｂ、搬送ベルト４ａ、４ｂ、基台５、整列台７によりナイフ折り機が構成されており、基台５は回転支持軸８を中心として回転可能となっている。
【００１３】
ナイフ２は往復動機構（図示せず）により、上下方向に移動可能となっており、一対の折りローラ３ａ、３ｂは駆動機構（図示せず）により互いに逆方向に回転する。搬送ベルト４ａ、４ｂは基台５に固定されたベルト支持軸６ａ、６ｂに取り付けられたプーリ（図示せず）に掛け渡され、駆動装置（図示せず）により図示矢印方向に移動する。なお、図示を省略しているが、搬送ベルト４ａ、４ｂの上部にも搬送ベルトがあり、用紙１は上下の搬送ベルトに挟まれて搬送される。
【００１４】
そして、基台５にナイフ２の駆動機構や折りローラ３ａ、３ｂの駆動機構あるいは折丁の搬送機構（図示せず）が固定されており、また、整列台７も基台５に固定されているので、基台５を回転支持軸８を中心として回転させると、種々の駆動機構や折丁の搬送機構とともに、整列台７も同じ角度だけ回転する。
【００１５】
次に、図１のナイフ折り機で用紙１を折る場合の作用について説明する。
一対の折りローラ３ａ、３ｂがそれぞれ互いに逆方向に回転している状態で、用紙１がナイフ折り機に供給されると、用紙１は搬送ベルト４ａ、４ｂにより図示矢印方向に搬送される。そして、用紙１の中心線が一対の折りローラ３ａ、３ｂの中間位置に供給されるタイミングで、ナイフ２が用紙１の折り位置である中心線に下降する。これにより、ナイフ２が用紙１を一対の折りローラ３ａ、３ｂ間に押し込み、回転している一対の折りローラ３ａ、３ｂが用紙１を折り位置から引き込んで折丁９を形成し、下方向に搬出する。搬出された折丁９は折丁搬送機構により整列台７に搬送され、整列台７上で整列される。
【００１６】
一方、折丁の横幅が縦長さに対して短く、折丁が倒れやすい場合には、図２に示すように、基台５を回転支持軸８を中心として回転させる。これにより、用紙搬送機構、折りナイフ機構、折りローラ機構よりなるナイフ折り部の全体が回転するとともに、同じ角度だけ整列台７も回転する。
なお、図２において、１０は整列台７に取り付けられた整列用壁であり、この整列用壁１０は図１の整列台７にも取り付けられているが、図示を省略している。
【００１７】
このように基台５を回転させた状態で、用紙１を折る場合の作用について説明する。
上記と同様に、一対の折りローラ３ａ、３ｂがそれぞれ互いに逆方向に回転している状態で、用紙１がナイフ折り機に供給されると、用紙１は搬送ベルト４ａ、４ｂにより図示矢印方向に搬送される。そして、用紙１の中心線が一対の折りローラ３ａ、３ｂの中間位置に供給されるタイミングで、ナイフ２が用紙１の折り位置である中心線に下降する。これにより、ナイフ２が用紙１を一対の折りローラ３ａ、３ｂ間に押し込み、回転している一対の折りローラ３ａ、３ｂが用紙１を折り位置から引き込んで折丁９を形成し、下方向に搬出する。搬出された折丁９は折丁搬送機構により整列台７に搬送され、整列台７上で整列される。このとき、折丁９は整列台７の整列用壁１０に支持されて整列するので、折丁９が倒れることはない。
【００１８】
以上のように、基台５を回転させることにより、整列台７を水平、または、例えば、３０〜９０°傾けた姿勢の両方で使用することができるので、折丁の横幅が縦長さに対して十分である場合には、水平の状態で使用し、横幅が縦長さに対して著しく短い場合には、３０〜９０°傾けて使用することにより、折丁が整列用壁１０によって支持されるので、折丁の縦横比が如何なる場合であっても、立整列が可能となり、整列した折丁の取り出しも容易に行うことができる。
【００１９】
また、基台５を回転支持軸８を中心として回転させることにより、整列台７だけでなく、ナイフ折り部や折丁の搬送機構の全体が回転するので、整列台７を回転させた場合にも、折丁の整列台７への搬送機構等を調整する必要がない。
【符号の説明】
【００２０】
１    用紙
２  ナイフ
３ａ、３ｂ  折りローラ
４ａ、４ｂ  搬送ベルト
５  基台
６ａ、６ｂ  ベルト支持軸
７  整列台
８  回転支持軸
９  折丁
１０  整列用壁
【図１】
0005465544.tif 000002
【図２】
0005465544.tif 000003